【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
水性ビヒクルと前記水性ビヒクルに分散および／または溶解したアゼチジニウム基含有成分とを含む水性インクジェットインクであって、前記アゼチジニウム基含有成分が、分子当たり平均で少なくとも２個のアゼチジニウム基を有するモノマー分子、オリゴマー分子若しくはポリマー分子又はそれらの１つまたは複数の混合物を含むことを特徴とする水性インクジェットインク。
【請求項２】
少なくとも３種の異なる着色インクを含むインクセットであって、前記インクの少なくとも１種が着色剤およびアゼチジニウム基含有成分を中に分散および／または溶解させた水性ビヒクルを含む水性インクジェットインクであり、前記アゼチジニウム基含有成分が、分子当たり平均で少なくとも２個のアゼチジニウム基を有するモノマー分子、オリゴマー分子若しくはポリマー分子又はそれらの１つまたは複数の混合物を含むことを特徴とするインクセット。
【請求項３】
少なくとも３種の異なる着色インクを含むインクセットであって、水性ビヒクルと前記水性ビヒクルに分散および／または溶解したアゼチジニウム基含有成分とを含む水性インクジェットインクを更に含み、前記アゼチジニウム基含有成分が、分子当たり平均で少なくとも２個のアゼチジニウム基を有するモノマー分子、オリゴマー分子若しくはポリマー分子又はそれらの１つまたは複数の混合物を含むことを特徴とするインクセット。
【請求項４】
少なくとも２種のインクを含むインクセットであって、
前記インクの少なくとも１種が第１の水性ビヒクルと前記第１の水性ビヒクルに分散および／または溶解したアゼチジニウム基含有成分とを含む第１の水性インクジェットインクであり、前記アゼチジニウム基含有成分が、分子当たり平均で少なくとも２個のアゼチジニウム基を有するモノマー分子、オリゴマー分子若しくはポリマー分子又はそれらの１つまたは複数の混合物を含み、
少なくとも１種の他のインクが第２の水性ビヒクルと前記第２の水性ビヒクルに分散および／または溶解した共反応性化学種とを含む第２の水性インクジェットインクであり、前記共反応性化学種がポリアゼチジニウム基と反応性の１つまたは複数の部分を含むことを特徴とするインクセット。
【手続補正２】
【補正対象書類名】明細書
【補正対象項目名】０１１８
【補正方法】変更
【補正の内容】
【０１１８】
（実験１ａのインク２単独と比較して）上記で光学密度の増加があった。カチオンポリマーが存在し、「固定剤」として機能したことを示している。しかし、インク１であったようなよごれの実質的な改善はなかった。これは、架橋性アゼチジニウム基を有する本発明インク１の利点を実証している。
なお、本発明の好ましい態様としては以下のものを挙げることができる。
１．水性ビヒクルと前記水性ビヒクルに分散および／または溶解したアゼチジニウム基含有成分とを含む水性インクジェットインクであって、前記アゼチジニウム基含有成分が、分子当たり平均で少なくとも２個のアゼチジニウム基を有するモノマー分子、オリゴマー分子若しくはポリマー分子又はそれらの１つまたは複数の混合物を含むことを特徴とする水性インクジェットインク。
２．２５℃で約２０ダイン／ｃｍ〜約７０ダイン／ｃｍの範囲内の表面張力および２５℃で３０ｃＰ以下の粘度を有することを特徴とする１に記載の水性インクジェットインク。
３．２５℃で約７ｃＰ未満の粘度を有することを特徴とする２に記載の水性インクジェットインク。
４．前記水性ビヒクルに分散および／または溶解した着色剤を更に含むことを特徴とする１に記載の水性インクジェットインク。
５．前記着色剤が高分子分散剤により前記水性ビヒクルに分散されていることを特徴とする４に記載の水性インクジェットインク。
６．前記高分子分散剤がアゼチジニウム基含有成分を含むことを特徴とする５に記載の水性インクジェットインク。
７．前記インクが結合剤添加剤としてアゼチジニウム基含有成分を含むことを特徴とする１に記載の水性インクジェットインク。
８．着色剤を含有しないことを特徴とする１に記載の水性インクジェットインク。
９．前記アゼチジニウム基が式（ＩＩ）、式（ＩＩＩ）
【化１】
2007505189.tif 000001
（式中、
Ｒ１およびＲ２は独立して１〜６個の炭素原子を有するアルキレン基であり、
Ｘはアニオン対イオンであり、
Ｙ１、Ｙ２およびＹ３はそれぞれ独立して水素、ヒドロキシル、ハロ、アルコキシ、アルキル、アミノ、カルボキシ、アセトキシ、シアノおよびスルフヒドリルからなる群から選択され、
Ｙ４は末端基である）
およびそれらの混合物からなる群から選択された少なくとも２個の基を含むことを特徴とする１に記載の水性インクジェットインク。
１０．少なくとも３種の異なる着色インクを含むインクセットであって、前記インクの少なくとも１種が着色剤およびアゼチジニウム基含有成分を中に分散および／または溶解させた水性ビヒクルを含む水性インクジェットインクであり、前記アゼチジニウム基含有成分が、分子当たり平均で少なくとも２個のアゼチジニウム基を有するモノマー分子、オリゴマー分子若しくはポリマー分子又はそれらの１つまたは複数の混合物を含むことを特徴とするインクセット。
１１．少なくとも３種の異なる着色インクを含むインクセットであって、水性ビヒクルと前記水性ビヒクルに分散および／または溶解したアゼチジニウム基含有成分とを含む水性インクジェットインクを更に含み、前記アゼチジニウム基含有成分が、分子当たり平均で少なくとも２個のアゼチジニウム基を有するモノマー分子、オリゴマー分子若しくはポリマー分子又はそれらの１つまたは複数の混合物を含むことを特徴とするインクセット。
１２．少なくとも２種のインクを含むインクセットであって、
前記インクの少なくとも１種が第１の水性ビヒクルと前記第１の水性ビヒクルに分散および／または溶解したアゼチジニウム基含有成分とを含む第１の水性インクジェットインクであり、前記アゼチジニウム基含有成分が、分子当たり平均で少なくとも２個のアゼチジニウム基を有するモノマー分子、オリゴマー分子若しくはポリマー分子又はそれらの１つまたは複数の混合物を含み、
少なくとも１種の他のインクが第２の水性ビヒクルと前記第２の水性ビヒクルに分散および／または溶解した共反応性化学種とを含む第２の水性インクジェットインクであり、前記共反応性化学種がポリアゼチジニウム基と反応性の１つまたは複数の部分を含むことを特徴とするインクセット。
１３．前記第２の水性インクジェットインクが着色剤を更に含むことを特徴とする１２に記載のインクセット。
１４．前記第１の水性インクが着色剤を含有しないことを特徴とする１３に記載のインクセット。
１５．少なくとも３種の異なる着色インクジェットインクを含み、
前記異なる着色インクジェットインクの少なくとも１種が第２の水性インクジェットインクであり、
前記異なる着色インクジェットインクの少なくとも１種は、その中に分散および／または溶解させている第３の水性ビヒクルと、着色剤と、ポリアゼチジニウム基と反応性の１つまたは複数の部分を含む共反応性化学種とを含む第３の水性インクジェットインクであり、
前記異なる着色インクジェットインクの少なくとも１種は、その中に分散および／または溶解させている第４の水性ビヒクルと、着色剤と、ポリアゼチジニウム基と反応性の１つまたは複数の部分を含む共反応性化学種とを含む第４の水性インクジェットインクであることを特徴とする１４に記載のインクセット。
１６．基材上にインクジェット印刷する方法であって、
（ａ）デジタルデータ信号に応答するインクジェットプリンタを準備する工程、
（ｂ）印刷される基材を前記プリンタに装填する工程、
（ｃ）１〜９のいずれか１項に記載のインクまたは１０〜１５のいずれか１項に記載のインクジェットインクセットを前記プリンタに装填する工程および、
（ｄ）デジタルデータ信号に応答して前記インクまたは前記インクジェットインクセットを用いて前記基材上に印刷する工程、
を含むことを特徴とする方法。